(57)【要約】【課題】試験ユニット４に書込まれたファームウエア１５を別バージョンに書換える場合における操作者の誤操作によるエラー発生の防止と作業負荷軽減とを図る。【解決手段】試験ユニット４に書込まれたファームウエア１５で試験対象を試験する試験装置において、  システム制御部１３における別バージョンのファームウエア１５の試験ユニット４に対する書込終了に応じて、二次側電源を一定時間オフしその後にオンするオフ・オン手段１８と、別バージョンのファームウエアの試験ユニットに対する書込開始時から二次側電源のオン後におけるシステム制御部の別バージョンのファームウエアの書込完了確認（再起動）終了時までの期間、二次側電源スイッチ１２からのオン・オフ信号を無効とする無効手段１８とを備えている。【選択図】      図１
2006017529.tif 000002
【特許請求の範囲】
【請求項１】
外部から常時供給される一次側電源にて生成される二次側電源を出力する電源ユニット（１）と、
前記二次側電源で駆動され、試験対象に対して試験を実施するためのファームウエア（１５）が書込まれた試験ユニット（４）と、
前記二次側電源で駆動され、前記試験ユニットのファームウエアを、外部から供給された前記試験ユニットに書込まれたファームウエアのバージョンとは異なる別バージョンのファームウエアに書換えるシステム制御部（１３）と、
外部操作に応じて前記二次側電源のオン、オフを切換えるための切換信号を出力する二次側電源スイッチ（１２）と、
常時駆動電源が供給されており、前記二次側電源スイッチからのオン・オフ信号によって前記電源ユニットから出力される二次側電源をオン、オフする二次側電源制御部（１１）と
を有する試験装置であって、
前記二次側電源制御部内に設けられ、前記システム制御部における前記別バージョンのファームウエアの試験ユニットに対する書込終了に応じて、前記二次側電源を一定時間オフしその後にオンするオフ・オン手段（１８）と、
前記二次側電源制御部内に設けられ、前記別バージョンのファームウエアの試験ユニットに対する書込開始時から前記二次側電源のオン後における前記システム制御部の前記別バージョンのファームウエア書換完了の確認終了時までの期間、前記二次側電源スイッチからのオン・オフ信号を無効とする無効手段（１８）と
を備えたことを特徴とする試験装置。
【請求項２】
前記試験ユニットに書込まれる各バージョンのファームウエアをそれぞれ記憶する記憶装置（１４）を備え、
前記システム制御部は、前記試験ユニットのファームウエアを、前記記憶装置に記憶されたバージョンのファームウエアに書換える
ことを特徴とする請求項１記載の試験装置。
【請求項３】
前記試験ユニットに書込まれる各バージョンのファームウエアをそれぞれ記憶する記憶装置（１４）を備え、
前記システム制御部は、前記試験ユニットに書込まれているファームウエアを診断し、異常が検出されたとき、該当ファームウエアを、前記記憶装置に記憶されている前記試験ユニットに書込まれたファームウエアのバージョンと同一バージョンのファームウエアに書換える
ことを特徴とする請求項１記載の試験装置。
【発明の詳細な説明】
【技術分野】
【０００１】
本発明は、試験対象に対して各種の試験を実施する試験装置に係わり、特に、試験ユニットに書込まれファームウエアを用いて、試験対象を試験する試験装置に関する。
【背景技術】
【０００２】
各種の通信方式に沿った通信機器の試験、例えば、Ｗ−ＣＤＭＡ、ｃｄｍａ２０００、ＧＳＭ等の任意の通信方式を採用した無線端末通信機器（以下試験対象）の試験を行う試験装置は、例えば図８に示すように構成されている。
【０００３】
この試験装置内には、電源ユニット１、二次側電源制御部２、二次側電源スイッチ３、複数の試験ユニット４、システム制御部５、表示装置６、入力装置７等が組込まれている。
【０００４】
電源ユニット１は、外部から常時供給される例えば交流１００Ｖの商用電源である一次側電源ａを用いて直流低圧の二次側電源ｂを生成して、各試験ユニット４及びシステム制御部５に供給する。また、電源ユニット１は二次側電源制御部２に対して常時、駆動電源としての、スタンバイ電源ｃを供給している。
【０００５】
各試験ユニット４内には、前述した各試験対象に対して試験を実施する通常のアプリケーションプログラムの他に、試験対象に対して試験を実施するためのファームウエアが書込まれている。各試験ユニット４内に書込まれたファームウエアは、試験対象が採用している前述したＷ−ＣＤＭＡ、ｃｄｍａ２０００、ＧＳＭ等の通信方式に対する試験規格や仕様により異なる。試験ユニット４は、自己に接続された試験対象に対して書込まれたファームウエアを使用してアプリケーションプログラムに従って試験を実施していく。
【０００６】
二次側電源制御部２は、操作者が操作する二次側電源スイッチ３から出力されるオン・オフ信号ｄに応じて、電源ユニット１に対して、電源オン、オフを通知するオン・オフ信号ｅを送出して、電源ユニット１から出力される二次側電源ｂをオン、オフ制御する。
【０００７】
システム制御部５は、制御バス８を介して各試験ユニット４の動作を制御すると共に、必要に応じて、各試験ユニット４に書込まれているファームウエアを、入力装置７を介して入力された試験ユニット４に書込まれているファームウエアとは別バージョンのファームウエアに書換える。
【０００８】
以降、ファームウエアのバージョンアップを例に説明を行うため、特に指定がない場合は、「新規バージョンのファームウエア」と表記する。
【０００９】
このような構成の試験装置の各試験ユニット４内に書込まれるファームウエアについて説明する。  
前述したように、各試験ユニット４内には、通電状態で更新が可能なアプリケーションプログラム（例えば通信方式の試験項目に応じたアプリケーション）と、電源を一旦オフにしないと更新できないファームウエアとが書込まれている。ファームウエアには、ＰＬＤ（プログラマブル・ロジック・デバイス）データ、ＦＰＧＡ（フィールド・プログラマブル・ゲート・アレー）データ、デバイスの初期化データ等がある。このファームウエアは、試験装置の起動や終了、各種データの書き換えの際には必ず動作していなければならないため、一旦、試験装置の電源（二次側電源）をオフにし、その後オンすることによりファームウエアの更新が可能となる。
【００１０】
試験装置においては、試験対象である無線端末通信機器の通信方式が、前述したＷ−ＣＤＭＡ、ｃｄｍａ２０００、ＧＳＭ等複数種類あり、更に各々の試験規格や仕様が頻繁に変更される。したがって、各試験ユニット４内に書込まれるファームウエアも頻繁に変更（バージョンアップ）が必要となる。
【００１１】
図９は、試験装置における各試験ユニット４に書込まれたファームウエアを新規バージョンのファームウエアに書換えるときの試験装置の状態と、操作者（使用者）の操作手順を示すタイムチャートである。
【００１２】
操作者（使用者）が二次側電源スイッチ３をオンして、各部４、５に二次側電源ｂを供給して、試験装置全体を起動する。起動が終了して通常状態に移行すると、操作者（使用者）は、入力装置７にインストーラを装着して、システム操作部５を操作して、試験ユニット４に書込まれているファームウエアを、入力装置７を介して入力された新規バージョンのファームウエアに書換える。
【００１３】
試験ユニット４に対する新規バージョンのファームウエアの書込が終了すると、操作者（使用者）は二次側電源スイッチ３で試験装置の電源を一旦オフして、所定時間経過後に、二次側電源スイッチ３で再度、試験装置の電源をオンする。
【００１４】
試験装置の電源が再度オンされると、システム操作部５は、試験ユニット４に書込まれているファームウエアを起動する。起動が完了すると、通常状態に移行する。すなわち、この時点から試験対象に対する試験を開始することが可能となる。
【００１５】
このような操作手順で各試験ユニット４に書込まれたファームウエアを新規バージョンのファームウエアに書換える場合において、試験ユニット４に対する新規バージョンのファームウエアの書込（インストール）期間中において、操作者（使用者）が誤って二次側電源スイッチ３をオフ操作すると、試験ユニット４に対するファームウエアの書込異常となる。
【００１６】
さらに、ファームウエアの書込異常の状態で二次側電源スイッチ３で再度、試験装置の電源をオンすると、試験装置は正常に動作しない。この様な状態は、特に、ファームウエアの書込（インストール）期間が長い場合に、操作者（使用者）による操作誤りを発生しやすい。
【００１７】
また、操作者（使用者）は、試験ユニット４に書込まれたファームウエアを新規バージョンのファームウエアに書換えて反映させる場合において、二次側電源スイッチ３で電源のオフ、オン操作を実施しなければならない。電源のオフ、オン操作は、この操作に不慣れな者にとっては、間違った操作や、操作のし忘れ等が発生しやすい。
【００１８】
このような不都合を回避するために、非特許文献１には、ファームウエアのインストール期間中に、表示装置に「電源は切らないでください」のメッセージを表示し、インストール期間が終了すると、表示装置に「電源を切ってください」のメッセージを表示する技術が提唱されている。
【非特許文献１】ＦｉｎｅＰｉｘ  Ｆ７１０  ファームウエアの更新Ｖｅｒ．１．５４  http://www.Fujifilm.co.jp/download/firmware/f710update.html  ２００４年６月１１日検索
【発明の開示】
【発明が解決しようとする課題】
【００１９】
しかしながら、上述したように、たとえ表示装置に「電源は切らないでください」の注意メッセージを表示したとしても、この期間中に、操作者（使用者）が誤って、電源をオフする懸念が残る。
【００２０】
さらに、表示装置に「電源を切ってください」の操作メッセージを表示したとしても、ファームウエアの書込（インストール）期間が長いと、操作者（使用者）は試験装置の元を離れている場合が多いので、試験装置はファームウエアのインストールが終了した状態で停止していることになる。したがって、操作者（使用者）は、この時点で、電源を一旦切って、再投入する必要があるので、操作者（使用者）にとつて、各試験ユニット４に書込まれたファームウエアを新規バージョンのファームウエアに書換える作業の繁雑性が軽減されるものではない。
【００２１】
本発明は、このような事情に鑑みてなされたものであり、ファームウエアの書込（インストール）期間にたとえ操作者（使用者）が誤って電源のオフ操作を実施したとしても、試験ユニットにファームウエアが正常に書込まれ、かつ、ファームウエアの書込終了後に電源のオフ、オン操作が自動実施され、試験ユニットに書込まれたファームウエアを新規バージョンのファームウエアに書換える場合における操作者（使用者）の作業負荷を大幅に軽減できる試験装置を提供することを目的とする。
【課題を解決するための手段】
【００２２】
本発明の試験装置は、外部から常時供給される一次側電源にて生成される二次側電源を出力する電源ユニットと、二次側電源で駆動され、試験対象に対して試験を実施するためのファームウエアが書込まれた試験ユニットと、二次側電源で駆動され、試験ユニットのファームウエアを、外部から供給された試験ユニットに書込まれたファームウエアのバージョンとは異なる別バージョンのファームウエアに書換えるシステム制御部と、外部操作に応じて二次側電源のオン、オフを切換えるための切換信号を出力する二次側電源スイッチと、常時駆動電源が供給されており、二次側電源スイッチからのオン・オフ信号によって電源ユニットから出力される二次側電源をオン、オフする二次側電源制御部とを有する。
【００２３】
そして、上記課題を解消するために、本発明の試験装置においては、二次側電源制御部内に設けられ、システム制御部における別バージョンのファームウエアの試験ユニットに対する書込終了に応じて、二次側電源を一定時間オフしその後にオンするオフ・オン手段と、二次側電源制御部内に設けられ、別バージョンのファームウエアの試験ユニットに対する書込開始時から二次側電源のオン後におけるシステム制御部の別バージョンのファームウエア書換完了の確認終了時までの期間、二次側電源スイッチからのオン・オフ信号を無効とする無効手段とを備えている。
【００２４】
このように構成された試験装置においては、システム制御部における別バージョンのファームウエアの試験ユニットに対する書込終了に応じて、二次側電源が、自動的に一定時間のオフし、その後に自動的にオンするので、操作者（使用者）の作業負荷が大幅に軽減される。
【００２５】
さらに、ファームウエアの試験ユニットに対する書込開始時から二次側電源のオン後におけるファームウエアの書換完了確認終了時までの期間、二次側電源スイッチからのオン・オフ信号が無効となるので、この期間に、たとえ操作者（使用者）が誤って電源のオフ操作を実施したとしても、試験ユニットのファームウエアが正常に別のバージョンのファームウエアに書換えられる。
【００２６】
また、別の発明においては、上述した発明の試験装置に対して、さらに、試験ユニットに書込まれる各バージョンのファームウエアをそれぞれ記憶する記憶装置を備えている。そして、システム制御部は、試験ユニットのファームウエアを、記憶装置に記憶されたバージョンのファームウエアに書換える。
【００２７】
このように構成された試験装置においては、必要に応じて、試験ユニットのファームウエアを、記憶装置に記憶された以前のバージョンのファームウエアに書換えることも可能である。このような時においても、前述した、電源のオフ、オン操作の自動実施及び誤操作の無効の自動実施が行われる。
【００２８】
また、別の発明においては、上述した発明の試験装置に対して、さらに、試験ユニットに書込まれる各バージョンのファームウエアをそれぞれ記憶する記憶装置を備えている。そして、システム制御部は、試験ユニットに書込まれているファームウエアを診断し、異常が検出されたとき、該当ファームウエアを、記憶装置に記憶されている試験ユニットに書込まれたファームウエアのバージョンと同一バージョンのファームウエアに書換える。
【００２９】
このように構成された試験装置においては、必要に応じて、試験ユニットのファームウエアを診断し、異常が検出されたとき、該当ファームウエアを、記憶装置に記憶されている試験ユニットに書込まれたファームウエアのバージョンと同一バージョンのファームウエアに書換えることが可能である。このようなファームウエアの自動修正時においても、前述した、電源のオフ、オン操作の自動実施及び誤操作の無効の自動実施が行われる。
【発明の効果】
【００３０】
本発明においては、ファームウエアの書込（インストール）期間にたとえ操作者（使用者）が誤って電源のオフ操作を実施したとしても、試験ユニットにファームウエアが正常に書込まれ、かつファームウエアの書込終了後に電源のオフ、オン操作が自動実施され、試験ユニットにインストールしたバージョンのファームウエアを反映させることができ、試験ユニットに書込まれたファームウエアを別のバージョンのファームウエアに書換える場合における操作者（使用者）の作業負荷を大幅に軽減できる。
【００３１】
また、操作者（使用者）がネットワークを介してのリモート操作により遠隔地からファームウエアの書込みを行う場合においても、ファームウエアの書込み終了時点で電源のオフ・オン操作のために操作者（使用者）が装置まで行く必要がなく、作業負担を大幅に軽減できる。
【発明を実施するための最良の形態】
【００３２】
以下、本発明の一実施形態を図面を用いて説明する。
【００３３】
図１は本発明の一実施形態に係わる試験装置の概略構成を示すブロック図である。図８に示す従来の試験装置と同一部分には同一符号を付して重複する部分の詳細説明を省略する。
【００３４】
この実施形態の試験装置内には、電源ユニット１、二次側電源制御部１１、二次側電源スイッチ１２、複数の試験ユニット４、システム制御部１３、表示装置６、入力装置７、記憶装置１４等が組込まれている。
【００３５】
電源ユニット１は、外部から常時供給される例えば交流１００Ｖの商用電源である一次側電源ａを用いて直流低圧の二次側電源ｂを生成して、各試験ユニット４及びシステム制御部１３に供給する。また、電源ユニット１は二次側電源制御部１１に対して常時、駆動電源としてのスタンバイ電源ｃを供給している。
【００３６】
各試験ユニット４内には、前述した各試験対象に対して試験を実施する通常のアプリケーションプログラムの他に、試験対象に対して試験を実施するためのファームウエア１５が書込まれている。各試験ユニット４内に書込まれたファームウエア１５は、試験対象が採用している前述したＷ−ＣＤＭＡ、ｃｄｍａ２０００、ＧＳＭ等の通信方式に対応する試験規格や仕様によりに異なる。試験ユニット４は、自己に接続された試験対象に対して書き込まれたファームウエア１５を使用してアプリケーションプログラムに従って試験を実施していく。
【００３７】
スタンバイ電源ｃで常時動作状態の例えばコンピュータで構成された二次側電源制御部１１内には、電源ユニット１に対して二次側電源ｂのオン、オフを制御するオン・オフ信号ｅをオン状態として出力するオン制御部１６、電源ユニット１に対して二次側電源ｂのオン、オフを制御するオン・オフ信号ｅをオフ状態として出力するオフ制御部１７、電源ユニット１に対して、オフ制御部１７及びオン制御部１６を介して、一定時間ＴAオフ信号を送出した後、オン信号を送出するオフ・オン制御部１８が組込まれている。
【００３８】
操作者（利用者）が操作する二次側電源スイッチ３から出力されるオン信号ｆは二次側電源制御部１１内のオフ・オン制御部１８へ送出される。また、操作者（利用者）が操作する二次側電源スイッチ３から出力されるオフ信号ｇは、システム制御部１３内に形成された電源管理部１９を経由して、二次側電源制御部１１内のオフ・オン制御部１８へ送出される。オフ信号ｇが電源管理部１９を経由していることで、オフ信号ｇに対して処理を加えて二次電源制御部１１内のオフ・オン制御部１８へ送出することができる。
【００３９】
さらに、操作者（利用者）が二次側電源スイッチ１２を長時間押し続けることにて生成される強制オフ信号ｈは、二次側電源制御部１１内のオフ制御部１７へ送出される。なお、この二次側電源スイッチ１２を用いた強制オフ操作は、ソフトウエア上のエラー発生に起因して試験装置の動作が終了しない場合等に実行する。
【００４０】
システム制御部１３は、制御バス８を介して各試験ユニット４の動作を制御すると共に、必要に応じて、図４に示すタイムチャートに従って、各試験ユニット４に書込まれているファームウエア１５を、入力装置７を介して入力された新規バージョンのファームウエア１５に書換える。
【００４１】
システム制御部１３内に形成されたコンピュータからなる電源管理部１９は、システム制御部１３における試験ユニット４のファームウエア１５に対する更新動作を監視しており、システム制御部１３における新規バージョンのファームウエア１５の試験ユニット４に対する書込（インストール）終了に応じて、二次側電源ｂを一定時間ＴAオフしその後にオンするオフ・オン信号ｉを二次側電源制御部１１内のオフ・オン制御部１８へ送出する。
【００４２】
また、電源管理部１９は、図４のタイムチャートに示すように、システム制御部１３における新規バージョンのファームウエア１５の試験ユニット４に対する書込（インストール）開始時刻から二次側電源ｂのオン後におけるシステム制御部１３の新規バージョンのファームウエア１５の確認（再起動）終了時刻までの期間、二次側電源スイッチ１２からの電源オン信号、オフ信号を無効とするオフ・オン制御部１８内の無効フラグを設定もしくは解除する無効信号ｊを二次側電源制御部１１内のオフ・オン制御部１８へ送出する。
【００４３】
また、システム制御部１３は、試験ユニット４に書込んだ各バージョンのファームウエア１５を例えばＨＤＤ等で構成された記憶装置１４に累積格納する。
【００４４】
そして、二次側電源制御部１１内のオフ・オン制御部１８は、図２に示す流れ図に従って、二次側電源ｂに対するオン、オフ制御を実行する。
【００４５】
二次側電源スイッチ１２からオン信号ｆが入力すると（Ｓ１）、オフ・オン制御部１８内の無効フラグの状態を調べ、無効フラグ＝０の場合は（Ｓ２）、インストール開始時刻から二次側電源ｂのオン後におけるシステム制御部１３の新規バージョンのファームウエア１５の確認（再起動）終了時刻までの期間でないので、オン制御部１６を介して、二次側電源ｂのオン・オフ信号ｅをオン状態として電源ユニット１へ送出する（Ｓ３）。無効フラグ＝１の場合は（Ｓ２）、インストール開始時刻から二次側電源ｂのオン後におけるシステム制御部１３の新規バージョンのファームウエアの確認（再起動）終了時刻までの無効期間であるので、入力されたオン信号ｆを無効として、なにもしない。
【００４６】
電源管理部１９からオフ・オン信号ｉが入力すると（Ｓ４）、タイマフラグを１に設定し（Ｓ５）、タイマを起動する（Ｓ６）。そして、オフ制御部１７を介して、二次側電源ｂのオン・オフ信号ｅをオフ状態として電源ユニット１へ送出する（Ｓ７）。
【００４７】
タイマフラグが１の場合（Ｓ８）、タイマ値が規定値ＴAに達すると（Ｓ９）、オン制御部１６を介して、二次側電源ｂのオン・オフ信号ｅをオン状態として電源ユニット１へ送出する（Ｓ１０）。そして、タイマフラグを０に解除する（Ｓ１１）。なお、タイマ値が規定値ＴAに達していない場合はなにもしない。
【００４８】
電源管理部１９からオフ信号ｇが入力すると（Ｓ１２）、無効フラグの状態を調べ、無効フラグ＝０の場合は（Ｓ１３）、インストール開始時刻から二次側電源ｂのオン後におけるシステム制御部１３の新規バージョンのファームウエアの確認（再起動）終了時刻までの期間でないので、オフ制御部１７を介して、二次側電源ｂのオン・オフ信号ｅをオフ状態として電源ユニット１へ送出する（Ｓ１４）。無効フラグ＝１の場合は（Ｓ１３）、入力されたオフ信号ｇを無効として、なにもしない。
【００４９】
電源管理部１９からの無効信号ｊが無効フラグ設定の場合（Ｓ１５）、無効フラグを１に設定し（Ｓ１６）、電源管理部１９からの無効信号ｊが無効フラグ解除の場合（Ｓ１７）、無効フラグを０に解除する（Ｓ１８）。
【００５０】
さらに、二次側電源スイッチ１２から強制オフ信号ｈが入力すると（Ｓ１９）、無条件で、オフ制御部１７を介して、二次側電源ｂのオン・オフ信号ｅをオフ状態として電源ユニット１へ送出する（Ｓ２０）。
【００５１】
また、電源管理部１９は、図３に示す流れ図に従って、システム制御部１３の試験ユニット４のファームウエア１５に対する更新動作を監視して、各種の信号を二次側電源制御部１１内のオフ・オン制御部１８へ送出する。
【００５２】
システム制御部１３が、図４に示すタイムチャートに従って、試験ユニット４に書込まれているファームウエア１５を、入力装置７を介して入力された新規バージョンのファームウエア１５に書換える過程において、システム制御部１３に、試験ユニット４に新規バージョンのファームウエア１５の書込（インストール）を開始すると（Ｑ１）、オフ・オン制御部１８へ送出する無効信号ｊで無効フラグの設定を要求する（Ｑ２）。但し、書込動作を保護するために、実際の書込みは無効フラグが設定されてから行われる。ファームウエア１５の書込（インストール）が終了すると（Ｑ３）、オフ・オン制御部１８へオフ・オン信号ｉを出力する（Ｑ４）。
【００５３】
電源再立上げ（オン）後におけるシステム制御部１３の新規バージョンのファームウエア１５の確認（再起動）が終了すると（Ｑ５）、オフ・オン制御部１８へ無効信号ｊにより無効フラグの解除を要求する（Ｑ６）。
【００５４】
さらに、二次側電源スイッチ１２からオフ信号ｇが入力すると（Ｑ７）、動作中のソフトウエアを終了させた後、このオフ信号ｇをオフ・オン制御部１８へ送出する（Ｑ８）。
【００５５】
このように構成された試験装置における各試験ユニット４に書込まれたファームウエア１５を新規バージョンのファームウエア１５に書換えるときの試験装置の状態と、操作者（使用者）の操作手順を図４のタイムチャートを用いて説明する。
【００５６】
操作者（使用者）は、入力装置７にインストーラを接続した後、二次側電源スイッチ１２をオンして、各試験ユニット４及びシステム制御部１３に二次側電源ｂを供給して、試験装置全体を起動にする。起動が終了して通常状態に移行すると、システム操作部１３、及びインストーラが自動的に起動し、試験ユニット４に書込まれているファームウエア１５を、インストーラから供給される新規バージョンのファームウエア１５に書換（インストール）開始する。同時に無効信号ｊにより、オフ・オン制御部１８内の無効フラグを「１」に設定する。
【００５７】
試験ユニット４に対する新規バージョンのファームウエア１５の書込（インストール）が終了すると、オフ・オン信号ｉが出力され、オフ・オン制御部１８にて、二次側電源ｂが自動的に一旦オフされ、所定時間ＴA（例えば１秒）経過後に、再度、自動的に二次側電源ｂがオンされる。
【００５８】
試験装置の電源（二次側電源ｂ）が再度オンされると、システム操作部１３は、試験ユニット４に書込まれているファームウエア１５を起動する。起動が完了すると、通常状態に移行する。そして、無効信号ｊにより、オフ・オン制御部１８内の無効フラグを「０」に解除する。すなわち、この時点から試験対象に対する試験を開始することが可能となる。
【００５９】
この図４のタイムチャートでも理解できるように、ファームウエア１５の書込（インストール）開始時刻から、書込まれたファームウエア１５の確認（再起動）終了までの期間に、たとえ操作者（使用者）が誤って二次側電源スイッチ１２にてオン操作、オフ操作を実施したとしても、このオン操作、オフ操作は無効とされ、試験ユニット４にファームウエア１５が正常に書込まれ、かつファームウエア１５の書込（インストール）終了後に電源のオフ、オン操作が自動実施される。その結果、新規バージョンのファームウエアは試験ユニット４に反映され、試験ユニット４に書込まれたファームウエア１５を新規バージョンのファームウエアに書換える場合における操作者（使用者）の作業負荷を大幅に軽減できる。
【００６０】
図５は、図１に示す試験装置における各試験ユニット４に書込まれたファームウエア１５を、記憶装置１４に記憶されたバージョン（以前にインストールしたバージョン等）のファームウエア１５に書換えるときの試験装置の状態と、操作者（使用者）の操作手順を示すタイムチャートである。
【００６１】
操作者（使用者）は、二次側電源スイッチ１２をオンして、各試験ユニット４及びシステム制御部１３に二次側電源ｂを供給して、試験装置全体を起動する。起動が終了して通常状態に移行すると、操作者（使用者）は、システム操作部１３のインストーラ機能を起動し、記憶装置１４に記憶されている以前にインストール等されたファームウエアのバージョンを表示装置６に表示させる。
【００６２】
操作者（使用者）が、インストールすべきファームウエア１５のバージョンを選択すると、システム操作部１３は、試験ユニット４に書込まれているファームウエア１５を、記憶装置１４から読出した選択されたバージョンのファームウエア１５に書換（インストール）開始する。同時に無効信号ｊにより、オフ・オン制御部１８内の無効フラグを「１」に設定する。
【００６３】
これ以降の動作は、先に説明した図４に示すタイムチャートと同じであるので、説明を省略する。  
したがって、各試験ユニット４に書込まれたファームウエア１５を、記憶装置１４に記憶され、選択されたバージョンのファームウエア１５に書換える場合においても、外部から供給された新規バージョンに書換える場合と同様の作用効果を奏することが可能となる。
【００６４】
なお、以前にインストールされたファームウエアだけでなく、記憶装置１４に、種々の試験を実施するための多くファームウエア１５を予め記憶保持しておき、各試験を実施する直前に、該当試験のファームウエア１５を記憶装置１４から読出して、試験ユニット４に書込むことも可能である。
【００６５】
図６は、図１に示す試験装置における各試験ユニット４に書込まれたファームウエア１５を、試験装置の起動時に、自己診断し、異常時に、記憶装置１４に記憶された各試験ユニット４に書込まれたファームウエアのバージョンと同一バージョンのファームウエア１５に書換えるときの試験装置の状態と、操作者（使用者）の操作手順を示すタイムチャートである。
【００６６】
操作者（使用者）は、二次側電源スイッチ１２をオンして、各試験ユニット４及びシステム制御部１３に二次側電源ｂを供給して、試験装置全体を起動する。起動が終了して通常状態に移行すると、操作者（使用者）は、システム操作部１３の自己診断機能を起動する。システム操作部１３は各試験ユニット４に書込まれているファームウエア１５に対する自己診断を行う。自己診断結果が異常の場合、表示装置６に警告メッセージを表示する。同時に、記憶装置１４に記憶された同一バージョンのファームウエア１５を検索（チェック）する。
【００６７】
次に、システム操作部１３は、試験ユニット４に書込まれているファームウエア１５を、記憶装置１４から読出した同一バージョンのファームウエア１５に書換（インストール）開始する。同時に無効信号ｊにより、オフ・オン制御部１８内の無効フラグを「１」に設定する。
【００６８】
これ以降の動作は、先に説明した図４に示すタイムチャートと同じであるので、説明を省略する。なお、自己診断結果が正常の場合、試験ユニット４に書込まれているファームウエア１５を書き直す必要がないので、そのまま通常動作に移行し、試験対象に対する試験を開始する。
【００６９】
したがって、各試験ユニット４に書込まれたファームウエア１５を自己診断して、異常の場合に、記憶装置１４に記憶された同一バージョンのファームウエア１５に書換える場合においても、外部から供給された新規バージョンに書換える場合と同様の作用効果を奏することが可能となる。この場合、操作者（使用者）は、表示装置６に表示された警告メッセージを確認するのみで、試験ユニット４に書込まれたファームウエア１５が自動修復される。
【００７０】
なお、上記説明では、操作者（使用者）が自己診断機能を起動するように記述したが、二次側電源ｂを供給して、装置全体が起動する際に楳作者（便用者）の介入無しに、自己診断機能が自動で実行されてもよい。
【００７１】
図７（ａ）は図１に示す実施形態の試験装置を工場で製造する場合における製造工程図である。この製造工程図には、各工程と、各工程における作業の手動／自動の区別と、各工程における二次側電源ｂのオン、オフ状態の区別が記述されている。
【００７２】
「ユニット組立て」、「本体組立て」、「出荷」の各工程は手動作業で実施され、「データ書込み（各試験ユニット４に対するファームウエア１５の書込）」、「ソフトウエアの書込み（各試験ユニット４に対するアプリケーションプログラムの書込）」、「調整」、「検査」の各工程は自動作業で実施される。
【００７３】
特に、電源のオフ、オン操作が実施される「データ書込み」工程においても、この「データ書込み」工程を自動実施できるので、試験装置をより効率的に製造できる。
【００７４】
図７（ｂ）は図８に示す従来の試験装置を工場で製造する場合における製造工程図である。この従来の試験装置においては、電源のオフ、オン操作が必要な「データ書込み」工程において、データ書込終了の監視と電源のオフ、オン操作を作業員による手動作業で実施する必要があるので、図７（ａ）に示す実施形態の試験装置に比較して、試験装置の製造効率が低下する。
【００７５】
なお、その他の実施形態(不図示)として、ファームウエアの書換えを伴わないが、オフ・オン制御部１８によりオフ、オン操作が自動で実行できることを利用して、本試験装置の開発過程および製造工程における二次側電源ｂのオン、オフの繰返し試験を実施することも可能である。
【図面の簡単な説明】
【００７６】
【図１】本発明の一実施形態に係わる試験装置の概略構成を示すブロック図
【図２】同実施形態の試験装置に組込まれたオフ・オン制御部の動作を示す流れ図
【図３】同実施形態の試験装置に組込まれた電源管理部の動作を示す流れ図
【図４】同実施形態の試験装置におけるファームウエアを新規バージョンに書換える時の全体動作を示すタイムチャート
【図５】同実施形態の試験装置におけるファームウエアを記憶装置に記憶されたバージョンに書換える時の全体動作を示すタイムチャート
【図６】同実施形態の試験装置におけるファームウエアの自己診断時の全体動作を示すタイムチャート
【図７】同実施形態の試験装置を工場で製造する場合における製造工程図
【図８】従来の試験装置の概略構成を示すブロック図
【図９】同従来の試験装置におけるファームウエアを新規バージョンに書換える時の全体動作を示すタイムチャート
【符号の説明】
【００７７】
１…電源ユニット、４…試験ユニット、６…表示装置、７…入力装置、８…制御バス、１１…二次側電源制御部、１２…二次側電源スイッチ、１３…システム制御部、１４…記憶装置、１５…ファームウエア、１６…オン制御部、１７…オフ制御部、１８…オフ・オン制御部、１９…電源管理部
【図１】
2006017529.tif 000003
【図２】
2006017529.tif 000004
【図３】
2006017529.tif 000005
【図４】
2006017529.tif 000006
【図５】
2006017529.tif 000007
【図６】
2006017529.tif 000008
【図７】
2006017529.tif 000009
【図８】
2006017529.tif 000010
【図９】
2006017529.tif 000011